(57)【要約】【課題】シースにグラウトが充填されて耐久性が高く、且つ、損傷したＰＣ床版や緊張材のみを取替可能な二重管構造のシースを有するＰＣ床版及びそのＰＣ床版への更新方法を提供する。【解決手段】緊張材３を挿通するシース２を有し、このシース２に緊張材３が挿通されて緊張され、プレストレスが導入されたＰＣ床版１において、緊張材３の端部が掛け止められる定着部５に設けられたシース２を、外シース２１の内側に別の内シース２２が挿入された二重管構造とし、内シース２２に、グラウトを充填する。【選択図】図１
2020133325.tif 000002
【特許請求の範囲】
【請求項１】
緊張材を挿通するシースを有し、このシースに前記緊張材が挿通されて緊張され、プレストレスが導入されたＰＣ床版であって、
前記緊張材の端部が掛け止められる定着部を備え、この定着部に設けられた前記シースは、外シースの内側に別の内シースが挿入された二重管構造となっており、
前記内シースには、グラウトが充填されていること
を特徴とする二重管構造のシースを有するＰＣ床版。
【請求項２】
前記シースの二重管構造は、曲率が一定の単円部分又は直線部分の端部付近の一部のみであること
を特徴とする請求項１に記載の二重管構造のシースを有するＰＣ床版。
【請求項３】
前記定着部を有しない中間ＰＣ床版と隣接し、この中間ＰＣ床版と同一の前記緊張材で橋軸方向に沿ってプレストレスが導入された連結部ＰＣ床版であること
を特徴とする請求項１又は２に記載の二重管構造のシースを有するＰＣ床版。
【請求項４】
橋梁の床版の橋軸直角方向の半断面を構成し、他の半断面を構成するプレキャスト製の半断面ＰＣａ床版と同一の前記緊張材で橋軸直角方向に沿ってプレストレスが導入されたプレキャスト製の半断面ＰＣａ床版であること
を特徴とする請求項１又は２に記載の二重管構造のシースを有するＰＣ床版。
【請求項５】
ＰＣ連続合成桁を構成し、隣接する他の床版と同一の前記緊張材で橋軸方向に沿ってプレストレスが導入された支点上に位置する一次床版であること
を特徴とする請求項１又は２に記載の二重管構造のシースを有するＰＣ床版。
【請求項６】
損傷したＰＣ床版を撤去し、新たなＰＣ床版に架け替えるＰＣ床版の更新方法であって、
緊張材の端部が掛け止められる定着部を有しない損傷した中間ＰＣ床版及び損傷した緊張材を撤去する損傷部撤去工程と、
新たなＰＣ床版を設置するＰＣ床版新設工程と、
緊張材の端部が掛け止められる定着部に設けられたシースに別の内シースを部分的に挿置する内シース挿置工程と、
新たな緊張材を前記内シースに挿入して緊張するプレストレス再導入工程と、を備えること
を特徴とするＰＣ床版の更新方法。
【発明の詳細な説明】
【技術分野】
【０００１】
本発明は、ＰＣ鋼材などの緊張材によりプレストレスが付与された鉄筋コンクリート床版（以下、ＰＣ床版という）に関し、詳しくは、二重管構造のシースを有するＰＣ床版及びそのＰＣ床版の更新方法に関する。
【背景技術】
【０００２】
従来、予め工場等でコンクリートが打設されて硬化した複数のプレキャスト製の床版（以下、ＰＣａ床版という）を鋼桁上に並べて載置して、ＰＣ鋼材でこれらの床版（セグメント）同士を橋梁の橋軸方向又は橋軸直角方向にプレストレスを付与して連結一体化したプレキャストプレストレスコンクリート床版（以下、ＰＣａＰＣ床版という）が知られている。
【０００３】
例えば、特許文献１には、両端部に配置される定着プレキャスト床版１３０と、その中間に配置される中間プレキャスト床版１１０が、橋軸方向に連結されてなるセグメントを備え、セグメントはセグメントごとに用意されるセグメント緊張材によってそれぞれ独立しては緊張されているＰＣａＰＣ床版が開示されている（特許文献１の明細書の段落［００３５］〜［００６８］、図面の図７，図８等参照）。
【０００４】
特許文献１に記載のＰＣａＰＣ床版は、部分的にＰＣａ床版が損傷した場合であっても、橋梁床版全体でプレストレス力を解除・再緊張する必要がなく、ＰＣ鋼より線により導入されたプレストレス力の監視及び再導入が容易であり、中間支点部など特定の箇所に対して他よりも大きなプレストレス力を導入することができるとされている。
【０００５】
しかし、特許文献１に記載のＰＣａＰＣ床版は、損傷したＰＣａ床版のみを取替可能とするには、ＰＣａ床版の挿通孔にグラウトを注入しないでＰＣ鋼材をアンボンドＰＣ鋼より線とする必要があった。しかし、ＰＣ鋼材の周りにグラウトを注入する目的は、防錆目的に加え、ＰＣ鋼材が振動しにくくすることによる定着部付近の疲労破壊に対する耐久性を向上させることにある。このため、特許文献１に記載のＰＣａＰＣ床版は、経年的には、ＰＣ鋼材の定着部付近において疲労破壊するおそれがあり、耐久性が低いという問題があった。
【０００６】
また、特許文献２には、交通規制を極力少なくするために、橋梁を半断面ずつＰＣａ床版に架け替えて、これらのＰＣａ床版を横締めＰＣ鋼材で緊張してプレストレスを付与し、一体化する構造物緊結一体化工法が開示されている（特許文献２の図面の図１７等参照）。
【０００７】
しかし、特許文献２に記載の構造物緊結一体化工法は、ＰＣａ床版の半断面のいずれか一方が損傷した場合は、ＰＣ鋼材を引き抜くことから、損傷していな半断面部分のＰＣａ床版も取り替えなければならないという問題があった。
【０００８】
そして、従来、ＰＣ連続合成桁も知られている。このＰＣ連続合成桁の支点上に位置する一次床版内のＰＣ鋼材も同様であり、一次床版内の一部のＰＣ鋼材にのみ損傷が発生した場合、その損傷したＰＣ鋼材のみを取り替えたいという要請が強いものである。しかし、ＰＣ鋼材の周りをグラウトやコンクリートで埋めてしまった場合、損傷したＰＣ鋼材のみを取り替えることができないという問題があった。
【０００９】
また、従来、ＰＣ橋の外ケーブルの定着部においては、二重管構造が採用されていた。例えば、特許文献３には、内外二重シースにＰＣ鋼材を挿通する橋梁構造において、内側シースとＰＣ鋼材のすき間を簡易な構造で止水し、止水部からのグラウト漏出を回避し、確実にグラウトを充填できる真空ポンプ併用グラウト注入工法が開示されている。
【００１０】
しかし、特許文献３に記載の二重管構造は、外ケーブルの定着部において露出しているため、錆びるなど損傷するおそれの高い外ケーブルの取替や、再緊張を考慮したものであった。このため、コンクリート床版の一部やケーブルが損傷した場合に、損傷していない床版を存置するために、グラウトで被覆されているため頻繁に取り替える必要のない内ケーブルが挿通されている床版内の全部のシースを二重管構造とするという発想はないものであった。
【先行技術文献】
【特許文献】
【００１１】
【特許文献１】特開２０１７−８２４９６号公報
【特許文献２】特許第６１１７８９８号公報
【特許文献３】特開２００４−３５３２４１号公報
【発明の概要】
【発明が解決しようとする課題】
【００１２】
そこで、本発明は、前述した問題に鑑みて案出されたものであり、その目的とするところは、シースにグラウトが充填されて耐久性が高く、且つ、損傷したＰＣ床版や緊張材のみを取替可能な二重管構造のシースを有するＰＣ床版及びそのＰＣ床版への更新方法を提供することにある。
【課題を解決するための手段】
【００１３】
請求項１に係る二重管構造のシースを有するＰＣ床版は、緊張材を挿通するシースを有し、このシースに緊張材が挿通されて緊張され、プレストレスが導入されたＰＣ床版であって、前記緊張材の端部が掛け止められる定着部を備え、この定着部に設けられた前記シースは、外シースの内側に別の内シースが挿入された二重管構造となっており、前記内シースには、グラウトが充填されていることを特徴とする。
【００１４】
請求項２に係る二重管構造のシースを有するＰＣ床版は、請求項１に係る二重管構造のシースを有するＰＣ床版において、前記シースの二重管構造は、曲率が一定の単円部分又は直線部分の端部付近の一部のみであることを特徴とする。
【００１５】
請求項３に係る二重管構造のシースを有するＰＣ床版は、請求項１又は２に係る二重管構造のシースを有するＰＣ床版において、前記定着部を有しない中間ＰＣ床版と隣接し、この中間ＰＣ床版と同一の前記緊張材で橋軸方向に沿ってプレストレスが導入された連結部ＰＣ床版であることを特徴とする。
【００１６】
請求項４に係る二重管構造のシースを有するＰＣ床版は、請求項１又は２に係る二重管構造のシースを有するＰＣ床版において、橋梁の床版の橋軸直角方向の半断面を構成し、他の半断面を構成するプレキャスト製の半断面ＰＣａ床版と同一の前記緊張材で橋軸直角方向に沿ってプレストレスが導入されたプレキャスト製の半断面ＰＣａ床版であることを特徴とする。
【００１７】
請求項５に係る二重管構造のシースを有するＰＣ床版は、請求項１又は２に係る二重管構造のシースを有するＰＣ床版において、ＰＣ連続合成桁を構成し、隣接する他の床版と同一の前記緊張材で橋軸方向に沿ってプレストレスが導入された支点上に位置する一次床版であることを特徴とする。
【００１８】
請求項６に係るＰＣ床版の更新方法は、損傷したＰＣ床版を撤去し、新たなＰＣ床版に架け替えるＰＣ床版の更新方法であって、緊張材の端部が掛け止められる定着部を有しない損傷した中間ＰＣ床版及び損傷した緊張材を撤去する損傷部撤去工程と、新たなＰＣ床版を設置するＰＣ床版新設工程と、緊張材の端部が掛け止められる定着部に設けられたシースに別の内シースを部分的に挿置する内シース挿置工程と、新たな緊張材を前記内シースに挿入して緊張するプレストレス再導入工程と、を備えることを特徴とする。
【発明の効果】
【００１９】
請求項１〜４に係る発明によれば、事故等で損傷したＰＣ床版や緊張材のみを取り替えて、隣接する健全なＰＣ床版をそのまま存置して使用することができる。このため、請求項１〜４に係る発明によれば、橋梁の維持コスト（ランニングコスト）を大幅に低減することができる。
【００２０】
それに加え、請求項１〜４に係る発明によれば、少なくとも定着部の内シースには、グラウトが充填されているので、アンボンドＰＣ鋼材のように樹脂等で被覆するなど特殊で高価な防錆処理をしなくても確実に防錆することができる。また、請求項１〜４に係る発明によれば、少なくとも定着部の内シースには、グラウトが充填されているので、緊張材を振動しにくくすることができ、緊張材の定着部付近の疲労破壊を防ぎ、耐久性を向上させることができる。このため、請求項１〜４に係る発明によれば、ＰＣ床版を安価で耐久性が高いものとすることができる。
【００２１】
特に、請求項２に係る発明によれば、シースの二重管構造が曲率が一定の単円部分又は直線部分の端部付近の一部のみであるので、グラウトが硬化してるため二重管構造の外シースから内シースが抜けなくなるという事態を防止することができる。
【００２２】
特に、請求項３に係る発明によれば、定着部のあるＰＣ床版のシースが二重管構造となっているので、中間ＰＣ床版が損傷した場合、容易に既存の緊張材を引き抜くことができ、損傷した中間ＰＣ床版だけを取り替えて、定着部のあるＰＣ床版をそのまま存置させることができる。
【００２３】
特に、請求項４に係る発明によれば、緊張材で連結された橋梁の半断面を構成する半断面ＰＣａＰＣ床版において、損傷した半断面ＰＣａＰＣ床版だけを取り替えることが容易となり、橋梁の維持コストを大幅に低減することができる。
【００２４】
特に、請求項５に係る発明によれば、ＰＣ連続合成桁の支点上に位置する一次床版のシースが二重管構造となっているので、内ケーブル部分も容易に取り替えることが可能となり、橋梁の維持コストを大幅に低減することができる。
【００２５】
請求項６に係る発明によれば、新設のＰＣ床版に更新する際に、簡単に二重管構造のシースを有するＰＣ床版を構築することができ、以後の事故等で損傷したＰＣ床版や緊張材のみを取り替えて、健全なＰＣ床版をそのまま存置して使用することができる。このため、請求項６に係る発明によれば、橋梁の維持コスト（ランニングコスト）を大幅に低減することができる。
【図面の簡単な説明】
【００２６】
【図１】（Ａ）は、本発明の第１実施形態に係る二重管構造のシースを有するＰＣ床版を示す橋軸方向に沿った鉛直断面図であり、（Ｂ）は、シースの二重管構造を示す部分拡大図、（Ｃ）は、シースの二重管構造の別例を示す部分拡大図である。
【図２】ＰＣａＰＣ床版の中間床版と連結部床版との連結状態を示す橋軸方向に沿った鉛直断面図である。
【図３】本発明の実施形態に係るＰＣ床版の更新方法の損傷部撤去工程を示す工程説明図である。
【図４】本発明の実施形態に係るＰＣ床版の更新方法のＰＣ床版新設工程を示す工程説明図である。
【図５】本発明の実施形態に係るＰＣ床版の更新方法のプレストレス再導入工程を示す工程説明図である。
【図６】本発明の第２実施形態に係る二重管構造のシースを有するＰＣ床版を示す橋軸直角方向に沿った鉛直断面図である。
【図７】ＰＣ連続合成桁の橋梁を橋軸直角方向に見た側面図である。
【図８】同上のＰＣ連続合成桁の橋梁の橋軸直角方向Ｙに沿った標準断面を示す鉛直断面図である。
【図９】同上の橋梁の二次床版部分の外ケーブの配置を示す図８のＡ−Ａ線断面図である。
【図１０】同上の橋梁の一次床版の定着部の緊張材の配置を示す図８のＢ−Ｂ線断面図である。
【図１１】同上の橋梁の一次床版の一般部の緊張材の配置を示す図８のＣ−Ｃ線断面図である。
【発明を実施するための形態】
【００２７】
以下、本発明に係る二重管構造のシースを有するＰＣ床版及びＰＣ床版の更新方法の一実施形態について、図面を参照しながら詳細に説明する。
【００２８】
＜二重管構造のシースを有するＰＣ床版＞
［第１実施形態］
図１を用いて、本発明の第１実施形態に係る二重管構造のシースを有するＰＣ床版について説明する。図１（Ａ）は、本発明の第１実施形態に係る二重管構造のシースを有するＰＣ床版１を示す橋軸方向Ｘに沿った鉛直断面図である。
【００２９】
図１（Ａ）に示すように、本発明の第１実施形態に係る二重管構造のシースを有するＰＣ床版１（以下、単にＰＣ床版１ともいう）は、所定の鉄筋（図示せず）が配筋された鉄筋コンクリート製のプレキャスト床版（ＰＣａＰＣ床版）である。
【００３０】
図１（Ａ）に示すように、このＰＣ床版１は、シース２が橋軸方向Ｘに沿って埋設され、このシース２に挿通されたＰＣ鋼より線、ＰＣ鋼棒、連続繊維（カーボンファイバー）より線などの緊張材３によりプレストレスがかけられたポストテンション方式のＰＣａＰＣ床版である。また、ＰＣ床版１は、定着具４で緊張材３の一端部を掛け止める定着部５を有したＰＣａＰＣ床版である。
【００３１】
そして、このＰＣ床版１は、特許文献１と同様に、橋軸方向Ｘに沿って一定領域の全部のＰＣ床版に一斉にプレストレスが付与されたものではなく、一定の領域（セクション：特許文献１でいうセグメント）毎に区分けしてプレストレスが付与されたＰＣａＰＣ床版である。
【００３２】
つまり、ＰＣ床版１は、図１（Ａ）に示すように、定着部５を有しない他のＰＣ床版である中間ＰＣ床版Ｓ１と隣接し、この中間ＰＣ床版Ｓ１と同一の緊張材３で橋軸方向に沿ってプレストレスが導入された連結部ＰＣ床版である。
【００３３】
また、図１（Ｂ）の部分拡大図に示すように、ＰＣ床版１のシース２は、外シース２１の内側に別の内シース２２が挿入された二重管構造となっており、内シース２２に緊張材３が挿通されて、その周りにセメントグラウトなどの充填材が充填されている。このため、定着具４の周りの緊張材３を振動しにくくすることができ、損傷しやすい緊張材３の定着部５付近の疲労破壊を防ぐことができる。このため、ＰＣ床版１によれば、特許文献１に記載の発明と相違して、アンボンド緊張材のように樹脂等で被覆するなど特殊で高価な防錆処理をしなくても確実に防錆することができる。
【００３４】
なお、図１（Ｂ）の部分拡大図に示すように、第１実施形態に係るＰＣ床版１では、シース２は、曲率が一定の単円部分２ａと、直線部分２ｂとからなり、二重管構造となっている部分は、ＰＣ床版１の端部付近である単円部分２ａのみである。即ち、外シース２１は、シース２の全長に亘って設けられているが、内シース２２は、そのうちＰＣ床版１の端面に接続する単円部分２ａのみに設けられている。
【００３５】
但し、図１（Ｃ）の部分拡大図に示すように、外シース２１を単円部分２ａのみに設け、内シース２２をシース２の全長に亘って設けることも可能である。要するに、シース２の二重管構造が、単円部分２ａ又は直線部分２ｂの端部付近の一部のみであり、グラウトが硬化した状態で内シースが外シースから抜くことのできる構造であればよい。
【００３６】
また、図１（Ｂ），（Ｃ）の部分拡大図に示すように、シース２内には、グラウトが充填されるため、内シース２２の終端部分と外シース２１との間等には、リングシールＲＳを施すなど、コンクリートの侵入やグラウトの漏出を防ぐ手段を設ける必要がある。
【００３７】
＜ＰＣ床版の更新方法＞
次に、図２〜図５を用いて、本発明の実施形態に係るＰＣ床版の更新方法について説明する。前述の第１実施形態に係るＰＣ床版１と連結する既存のＰＣａＰＣ床版が損傷して、新しいＰＣａ床版に取り替える場合を例示して説明する。図２は、ＰＣａＰＣ床版の中間床版と連結部床版との連結状態を示す橋軸方向Ｘに沿った鉛直断面図である。
【００３８】
図２に示すように、定着部５を有した前述のＰＣ床版１と、定着部５を有しない中間ＰＣ床版Ｓ１とが、同一の緊張材３で緊張されて連結されている床版において、その一部の中間ＰＣ床版Ｓ１が事故等で損傷した場合を想定している。
【００３９】
（１）損傷部撤去工程
先ず、図３に示すように、本実施形態に係るＰＣ床版の更新方法では、損傷した中間ＰＣ床版Ｓ１及びその中間ＰＣ床版Ｓ１と同一の緊張材３で連結されている中間ＰＣ床版Ｓ１を、その緊張材３とともに撤去する損傷部撤去工程を行う。図３は、図２と同様に橋軸方向Ｘに沿った鉛直断面図で表した本発明の実施形態に係るＰＣ床版の更新方法の損傷部撤去工程を示す工程説明図である。
【００４０】
本工程では、グラウトが充填されて緊張材３と一体化している内シース２２も外シース２１から引き抜いて、緊張材３とともに一緒に撤去し、外シース２１は存置する。このとき、シース２の直線部分２ｂは、外シース２１内にもグラウトが充填されているため、緊張材３を挿通するための孔をコアドリルやエアーピックなどを用いて削孔又は斫って穿孔する。また、内シース２２が挿置されている部分は、外シース２１とグラウトで一体化されておらず、且つ、曲率が一定の単円部分２ａであるため、容易に内シース２２及び緊張材３を引き抜くことができ、連結部床版であるＰＣ床版１を損傷するおそれもない。
【００４１】
（２）ＰＣ床版新設工程
次に、図４に示すように、本実施形態に係るＰＣ床版の更新方法では、前工程で撤去した中間ＰＣ床版Ｓ１部分に新たなＰＣａ床版である中間ＰＣ床版Ｓ１を設置するＰＣ床版新設工程を行う。図４は、本発明の実施形態に係るＰＣ床版の更新方法のＰＣ床版新設工程を示す工程説明図である。
【００４２】
（３）内シース挿置工程
また、図４に示すように、ＰＣａ床版新設工程と並行して、連結部床版であるＰＣ床版１に、存置した外シース２１の内側に再度内シース２２をシース２の一部である単円部分２ａに配管して挿置する内シース挿置工程も実行する。このように、部分的に二重管構造のシース２としておくことより、再度、中間ＰＣ床版Ｓ１が損傷した場合の取替が容易となるからである。
【００４３】
（４）プレストレス再導入工程
次に、図５に示すように、本実施形態に係るＰＣ床版の更新方法では、前工程で新設した中間ＰＣ床版Ｓ１及びＰＣ床版１の内シース２２に新しい緊張材３を配置して緊張するプレストレス再導入工程を行う。図５は、本発明の実施形態に係るＰＣ床版の更新方法のプレストレス再導入工程を示す工程説明図である。
【００４４】
本工程では、新設した緊張材３をジャッキ等で緊張し、定着具４を装着して定着部５で掛け止めてプレストレスを中間ＰＣ床版Ｓ１及びＰＣ床版１に再度付与してこれらの床版を連結する。
【００４５】
（５）グラウト充填工程
その後、本実施形態に係るＰＣ床版の更新方法では、新設した中間ＰＣ床版Ｓ１のシース内及び連結部床版であるＰＣ床版１の内シース２２内にグラウトを充填するグラウト充填工程を行う。これにより本実施形態に係るＰＣ床版の更新方法が終了する。なお、中間ＰＣ床版Ｓ１のシース内には、必ずしもグラウトを充填しなくてもよい。
【００４６】
以上説明した本発明の第１実施形態に係る二重管構造のシースを有するＰＣ床版１及びＰＣ床版１の更新方法によれば、事故等で損傷した中間ＰＣ床版Ｓ１や緊張材３のみを取り替えて、隣接する健全な連結部床版であるＰＣ床版１をそのまま存置して使用することができる。このため、橋梁の維持コスト（ランニングコスト）を大幅に低減することができる。
【００４７】
また、ＰＣ床版１及びＰＣ床版１の更新方法によれば、内シース２２にグラウトを充填するので、アンボンド緊張材のように樹脂等で被覆するなど特殊で高価な防錆処理をしなくても確実に防錆することができる。また、内シース２２にグラウトを充填することにより、緊張材３を振動しにくくすることができ、緊張材３の定着部５付近の疲労破壊を防ぎ、耐久性を向上させることができる。このため、ＰＣ床版１を安価で耐久性が高いものとすることができる。
【００４８】
［第２実施形態］
次に、図６を用いて、本発明の第２実施形態に係る二重管構造のシースを有するＰＣ床版について説明する。図６は、本発明の第２実施形態に係る二重管構造のシースを有するＰＣ床版を示す橋軸直角方向に沿った鉛直断面図である。
【００４９】
本発明の第２実施形態は、橋梁を共用しつつ床版の更新を可能とするために、プレキャスト製の半断面ＰＣａ床版に本発明を適用した場合である。図６に示すように、第２実施形態に係る二重管構造のシースを有するＰＣ床版１−２は、橋梁の床版の橋軸直角方向Ｙの半断面を構成し、他の半断面を構成するプレキャスト製の半断面ＰＣａ床版と同一の横締め緊張材３−１で橋軸直角方向Ｙに沿ってプレストレスが導入されたプレキャスト製の半断面ＰＣａ床版である。
【００５０】
このＰＣ床版１−２は、シース２−２が橋軸直角方向Ｙに沿って埋設された鉄筋コンクリート製のプレキャスト床版であり、定着具４−２で緊張材３−２の一端部を掛け止める定着部５−２を有したＰＣａＰＣ床版である。
【００５１】
また、このＰＣ床版１−２のシース２−２も、前述のシース２と同様に、外シース２３の内側に別の内シース２４が挿入された二重管構造となっており、内シース２４に緊張材３−２が挿通されて、その周りにセメントグラウトなどの充填材が充填されている。
【００５２】
なお、第２実施形態に係るＰＣ床版１−２も、シース２−２は、曲率が一定の単円部分２ａ−２と、直線部分２ｂ−２とからなり、二重管構造となっている部分は、ＰＣ床版１−２の端部付近である単円部分２ａ−２のみである。即ち、外シース２３は、シース２−２の全長に亘って設けられているが、内シース２４は、そのうちＰＣ床版１−２の端面に接続する単円部分２ａ−２のみに設けられている。なお、第１実施形態と同様に、外シース２３を単円部分２ａ−２のみに設け、内シース２４をシース２−２の全長に亘って設けてもよい。
【００５３】
また、シース２−２内には、グラウトが充填されるため、内シース２４の終端部分と外シース２３との間には、リングシールを施すなど、コンクリートの侵入やグラウトの漏出を防ぐ手段を設ける必要がある。なお、緊張材３−２を引き抜く場合は、第１実施形態に係るＰＣ床版１と同様に、シース２−２の直線部分２ｂ−２は、外シース２３内にもグラウトが充填されているため、緊張材３−１を挿通するための孔をコアドリルやエアーピックなどを用いて削孔又は斫って穿孔する。
【００５４】
第２実施形態に係るＰＣ床版１−２によれば、損傷又は老朽化した半断面ＰＣａＰＣ床版を取り替える際に、緊張材３−２を引き抜くことが容易となり、短時間で更新作業を完了することができる。このため、ＰＣ床版１−２によれば、通行止めなどの交通規制の期間を短縮することができるだけでなく、橋梁の維持コストを大幅に低減することができる。
【００５５】
［第３実施形態］
次に、図７〜図１１を用いて、本発明の第３実施形態に係る二重管構造のシースを有するＰＣ床版について説明する。図７は、本発明の第３実施形態に係る二重管構造のシースを有するＰＣ床版１−３を備えたＰＣ連続合成桁の橋梁６を橋軸直角方向Ｙに見た側面図であり、図８は、橋梁６の橋軸直角方向Ｙに沿った標準断面を示す鉛直断面図である。また、図９は、二次床版部分の外ケーブの配置を示す図７のＡ−Ａ線断面図、図１０は、一次床版の定着部の緊張材の配置を示す図７のＢ−Ｂ線断面図、図１１は、一次床版の一般部の緊張材の配置を示す図７のＣ−Ｃ線断面図である。
【００５６】
本発明の第３実施形態は、ＰＣ連続合成桁の支点上に位置する一次床版に本発明を適用した場合である。図７，図８に示すように、ＰＣ連続合成桁の橋梁６は、鉄筋コンクリート製の橋桁６０と、その橋桁６０の上に載置された現場打ちの鉄筋コンクリート製のＲＣ床版６１と、鉄筋コンクリート製の地覆部６２及び壁高欄６３など、から構成されている。また、符号６４は、ＲＣ床版６１の上に舗装するアスファルト舗装６４である。
【００５７】
図７，図９〜図１１に示すように、ＰＣ連続合成桁の橋梁６は、緊張材であるＰＣ鋼材からなる第１外ケーブル７と、第２外ケーブル８と、内ケーブル９とで、橋軸方向Ｘに沿ってプレストレスが導入されている。第１外ケーブル７と第２外ケーブル８は、床版６１の外部に配置され、内ケーブル９は、床版６１の支点上に位置する一次床版であるＰＣ床版１−３に埋設されている。
【００５８】
本実施形態では、この一次床版であるＰＣ床版１−３に本発明を適用して、内ケーブル９を挿通しているシース（図示せず）を外シースと内シースからなる二重管構造としている。また、この内シースには、セメント系のグラウトが充填されて緊張材である内ケーブル９の周りが固化されている。勿論、ＰＣ床版１−３のシースもその一部が二重管構造となってるものでも構わない。例えば、ＰＣ床版１−３のシースは、直線部分のみ二重管構造し、その他を従来通り一重管としてもよい。
【００５９】
図９に示すように、橋梁６は、図７のＡ−Ａ線断面で示す床版６１の二次床版部分では、第１外ケーブル７が外部に露出して橋桁６０の下部に固定されている。
【００６０】
また、図１０に示すように、図７のＢ−Ｂ線断面で示す一次床版であるＰＣ床版１−３の定着部では、第２外ケーブル８及び内ケーブル９の端部が定着部で一体化されて固定、定着されている。
【００６１】
そして、図１１に示すように、図７のＣ−Ｃ線断面で示す一次床版であるＰＣ床版１−３の一般部では、ＰＣ床版１−３の内部に緊張材である内ケーブル９が配置され緊張されてプレストレスがＰＣ床版１−３に導入されている。
【００６２】
以上説明した第３実施形態に係るＰＣ床版１−３によれば、内ケーブル９が挿通されているシースが第１実施形態と同様に二重管構造となっているので、内ケーブル９が損傷した場合に容易に交換することができる。
【００６３】
また、第３実施形態に係るＰＣ床版１−３によれば、内ケーブル９の周りには、グラウトが充填されているので、アンボンド緊張材のように樹脂等で被覆するなど特殊で高価な防錆処理をしなくても確実に防錆することができる。また、内ケーブル９を振動しにくくすることができ、緊張材である内ケーブル９の定着部付近の疲労破壊を防ぎ、耐久性を向上させることができる。このため、ＰＣ床版１−３を安価で耐久性が高いものとすることができる。
【００６４】
以上、本発明の第１〜第３実施形態に係る二重管構造のシースを有するＰＣ床版及びＰＣ床版の更新方法について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【００６５】
特に、第１，第２実施形態に係る二重管構造のシースを有するＰＣ床版として、新設するＰＣ床版としてＰＣａ床版を例示して説明したが、第３実施形態に係るＰＣ床版のように、現場打ちのＲＣ床版にも適用することは可能である。但し、床版を取り替える際には、橋梁の交通規制が必要なことから、ＰＣａ床版とした方が交通規制の期間を短縮することができて好ましい。
【００６６】
なお、実施形態に係るＰＣ床版として、シースを二重管構造として内シースにのみグラウトを充填し、外シースと内シースとの間に付着を取らない構成を例示して説明したが、道路橋示方書の要請により、一定の割合、内シースを設けないでＰＣ床版との付着を確保する構造としても構わない。例えば、シースを基本二重管構造とするとともに、シースの全数の三割程度を二重管構造とせず、通常のシースとしても構わない。その場合でも、大部分のシースでは、緊張材の引き抜きが容易であり、前記作用効果を奏することは明らかである。
【符号の説明】
【００６７】
１，１−２，１−３：ＰＣ床版（二重管構造のシースを有するＰＣ床版）
Ｓ１：中間ＰＣ床版（定着部を有していないＰＣ床版）
２，２−２：シース（二重管構造のシース）
２ａ，２ａ−２：単円部分（シース）
２ｂ，２ｂ−２：直線部分（シース）
２１，２３：外シース
２２，２４：内シース
ＲＳ：リングシール
３，３−１，３−２：緊張材
３−１：横締め緊張材（緊張材）
４，４−２：定着具
５，５−２：定着部
６：ＰＣ連続合成桁の橋梁
６０：橋桁
６１：ＲＣ床版（床版）
６２：地覆部
６３：壁高欄
６４：アスファルト舗装
７：第１外ケーブル（外ケーブル：緊張材）
８：第２外ケーブル（外ケーブル：緊張材）
９：内ケーブル（緊張材）
Ｘ：橋軸方向
Ｙ：橋軸直角方向
【図１】
2020133325.tif 000003
【図２】
2020133325.tif 000004
【図３】
2020133325.tif 000005
【図４】
2020133325.tif 000006
【図５】
2020133325.tif 000007
【図６】
2020133325.tif 000008
【図７】
2020133325.tif 000009
【図８】
2020133325.tif 000010
【図９】
2020133325.tif 000011
【図１０】
2020133325.tif 000012
【図１１】
2020133325.tif 000013